【手続補正書】
【提出日】平成19年6月1日(2007.6.1)
【手続補正１】
【補正対象書類名】明細書
【補正対象項目名】全文
【補正方法】変更
【補正の内容】
【発明の詳細な説明】
【発明の名称】自動風呂
【技術分野】
【０００１】
本発明は、主に風呂にマイコン等コンピュータで制御出来るようにしたジェット水流装置等水を噴出する装置、ブラシ、ワイパー、スポンジ、モップ等の清掃に使用する装置を収納して、ボタン操作により自動で風呂を清掃する事が出来るようにした風呂である。
【背景技術】
【０００２】
従来は、風呂を掃除する際には、主に洗剤を撒いて、たわしやブラシ等でこすり、水やお湯でそれをながしてするものであった。これらの作業は毎日の様に頻繁に掃除するものや高齢者夫婦や高齢者で一人暮らしをする者、障害者等には大きな負担であった。
【発明の開示】
【発明が解決しようとする課題】
【０００３】
風呂を掃除する際に主婦の負担を軽減する事ができるだけでなく、高齢者夫婦のみの家庭や高齢者で一人暮らしの家庭においてもその負担を軽減する事ができる。これは、これから高齢化社会を迎えるにあたって大きな課題であると言える。又、障害者等自分で掃除をする事が困難である人々についても同様である。
【課題を解決するための手段】
【０００４】
風呂にマイコン等コンピュータで制御出来るようにしたジェット水流装置等水を噴出する装置、ブラシ、ワイパー、スポンジ、モップ等の清掃に使用する装置を取り付けて、ボタン操作により自動で風呂を清掃する事が出来るようにする。
【発明の効果】
【０００５】
風呂を掃除する際に主婦の負担を軽減する事ができるだけでなく、高齢者夫婦のみの家庭や高齢者で一人暮らしの家庭においてもその負担を軽減する事ができる。これは、これから高齢化社会を迎えるにあたって大きな効果であると言える。又、障害者等自分で掃除をする事が困難である人々についても同様である。
【発明の実施するための最良の形態】
【０００６】
本発明は、風呂にマイコン等コンピュータで制御する事が出来るようにしたジェット水流装置等を収納して（図１−３）、ボタン操作により自動で風呂を清掃する事が出来るようにした風呂である。又、マイコン等コンピュータで制御するものとしてブラシ、ワイパー、モップ等（図１−４）を取り付けたり、洗剤や熱湯を噴射する装置、若しくはブラシ等の中に水や洗剤が出る部分を取り付けたりブラシが細かい振動をするようにしたりしておけば、さらにきれいに清掃をする事ができる。図１−４ではブラシが大きく描かれているが小さいブラシでそれが動いても良い。清掃をするだけではなく、湯を沸かしたり、何種類かの中から入浴剤を選択して入れておく事まで自動化できるし、携帯電話等により外出先からそれらの操作も出来る。
【０００７】
又、清掃に使用する機器を収納した動く装置と清掃に使用する機器を収納した動く装置（図１では風呂の側面、底面になっている。又、その中にジェット水流装置等水を噴出する装置、ブラシ、ワイパー、スポンジ、モップ、洗剤や熱湯を噴出する装置等の清掃に使う機械等が収納されている。）の隙間を塞ぐには、装置の左右（若しくは上下、上下左右）にゴム等が押し付けられたり、栓がされたりするようにすれば良い（図１−６）。上記のような清掃に使用する装置、ゴム等で隙間を塞ぐための装置をそれらを収納する装置の中で熱湯や清掃に使用する装置を用いたりして洗浄しても良い。又、縁の中にそれらの装置を収納しても良い。
【０００８】
清掃に使用する機器を収納した動く装置が前に出て（図１−１）、収納された清掃に使用する装置により横に並んで引っ込んで底面や側面になっている清掃に使用する機器を収納した動く装置の表面（図１−２）や風呂の底面（底面がその装置でできてないのであれば、側面になっている清掃に使用する機器を収納した動く装置に下も洗える装置を収納して。）、を清掃する。清掃に使用する機器を収納した動く装置を上下にも動くようにすれば（図２）、縁も清掃する事ができ、ほぼすべてをボタンを押すだけで自動で清掃をする事が出来るようになる。
又、清掃に使用する水については、水道の蛇口等からホースでつないでおいたり、タンクにためておいたりするだけでなく風呂の水を再利用する装置を利用することも出来る。
【０００９】
図１では、風呂が縦長に分割されているが（装置（側面、底面になっている。）として）、それらは、横長や斜めに分割されても良いし、それらの組み合わせでも良いし、その他いろいろな形にしても良い。
【００１０】
縁や底面にできる凸凹には、滑り止めの工夫もできるし、そのようにすれば老人等が転倒してしまうような事故を防止する効果もある。又、風呂の蓋が自動、又はボタンで折りたたまれたり、ちじんだりしたりして開閉するようにして取り付けても良いし、縁、ゴム等で隙間を塞ぐための装置等が側面や底面になる装置の中に折りたたまれたり、引っ込んだりして中で清掃をして、清掃が終わったら元に戻るようにする事もできる。又、収納される装置にスポンジ等を使用した絞りながら擦る装置を使用する事、乾燥機を付ける事によりほぼ完全にボタンを押すだけで自動で清掃する事ができる。
【図面の簡単な説明】
【００１１】
【図１】自動風呂の断面図
【図２】自動風呂の側面の断面図
【符号の説明】
【００１２】
１  清掃に使用する機器を収納した動く装置（前に出ているところ）
２  清掃に使用する機器を収納した動く装置（引っ込んでいるところ）
３  ジェット水流装置等水や洗剤を噴出する装置
４  ブラシ、ワイパー等
５  入浴剤が出る所
６  清掃に使用する機器を収納した動く装置の隙間を塞ぐゴム等
７  レール上を動くリフト
８  清掃に使用する機器を収納した動く装置（上がっているところ）
９  レール
【手続補正２】
【補正対象書類名】図面
【補正対象項目名】全図
【補正方法】変更
【補正の内容】
【図１】
2006212422.tif 000001
【図２】
2006212422.tif 000002
【手続補正３】
【補正対象書類名】特許請求の範囲
【補正対象項目名】全文
【補正方法】変更
【補正の内容】
【特許請求の範囲】
【請求項１】
水を噴出する装置、ブラシ、ワイパー、スポンジ、洗剤を噴出する装置等の清掃に使用する装置を収納した動く装置が組み合わされて風呂の側面や底面になっていて、その清掃に使用する機器を収納した動く装置やそれに収納された機器をマイコン等コンピュータで制御することにより自動で清掃をする事ができる風呂。
【請求項２】
清掃に使用する装置のブラシやモップ等汚れをこする物に筒のようなブラシやモップ等汚れをこする物が回転するようなブラシやモップ等汚れをこする物を使用した請求項１記載の自動で清掃をする事ができる風呂。
【請求項３】
清掃に使用する装置のブラシやモップ等汚れをこする物に円盤のようなブラシやモップ等汚れをこする物が回転するようなブラシやモップ等汚れをこする物を使用した請求項１記載の自動で清掃をする事ができる風呂。
【請求項４】
コンピュータで制御出来るようにした入浴剤を選択して入れる装置を取り付けた請求項１記載の自動で清掃をする事ができる風呂。
【請求項５】
清掃に使用する装置のブラシやモップ等汚れをこする物の中に水や洗剤が出る部分を取り付けたブラシやモップ等汚れをこする物を使用した請求項１記載の自動で清掃をする事ができる風呂。
【請求項６】
コンピュータで制御出来るようにした乾燥機を取り付けた請求項１記載の自動で清掃をする事ができる風呂。
【請求項７】
スポンジで擦ったり、絞ったりする装置を取り付けた請求項１記載の自動で清掃をする事ができる風呂。